【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
フォーカスレンズを移動させて自動合焦制御を行う撮像装置であって、
被写体の距離に対応する情報を測定する測距手段と、
撮像された画像から、人物の顔の領域を顔領域として検出する検出手段と、
前記画像に対する焦点検出領域を設定する設定手段と、
前記画像の前記焦点検出領域に含まれる、予め定められた周波数帯域の成分に基づいてＡＦ評価値を生成する生成手段と、
前記生成手段が生成したＡＦ評価値に基づいて、前記フォーカスレンズを移動させて焦点検出を行う制御手段とを有し、
前記設定手段は、
前記顔領域が検出されている場合には、前記顔領域に対して焦点検出領域を設定し、
前記顔領域が検出されていた状態から前記顔領域が検出されない状態になった場合には、前記測距手段により検出された前記顔領域が検出されていた状態における前記被写体の距離と、前記顔領域が検出されない状態における前記被写体の距離との変化量が予め定めたしきい値以下であれば、前記顔領域が検出されていた状態において設定されていた焦点検出領域を変更せず、前記変化量が予め定められたしきい値より大きければ、前記画像内の予め定められた領域に焦点検出領域を変更することを特徴とする撮像装置。
【請求項２】
前記設定手段は、
前記顔領域が検出されていた状態から前記顔領域が検出されない状態になった場合には、前記顔領域が検出されていた状態における前記測距手段の測定結果と、前記顔領域が検出されない状態における前記測距手段の測定結果とを用いて、前記被写体の距離の変化量を求めることを特徴とする請求項１記載の撮像装置。
【請求項３】
前記設定手段は、
前記顔領域が検出されていた状態から前記顔領域が検出されない状態になった場合には、前記顔領域が検出されていた状態における前記測距手段の測定結果から算出されるフォーカスレンズの位置と、現在の前記フォーカスレンズの位置との差を、前記被写体の距離の変化量として求めることを特徴とする請求項１記載の撮像装置。
【請求項４】
前記設定手段が、
前記顔領域が検出されている場合に、前記顔領域に加えて、前記予め定められた領域に対しても焦点検出領域を設定することを特徴とする請求項１乃至請求項３のいずれか１項に記載の撮像装置。
【請求項５】
前記制御手段が、前記生成手段が前記顔領域に対して生成したＡＦ評価値と、前記予め定められた領域に対して生成したＡＦ評価値とを加算した結果に基づいて前記焦点検出を行うことを特徴とする請求項４記載の撮像装置。
【請求項６】
前記予め定められた領域は、前記顔領域を含む領域であり、かつ中心が前記画像の中心に等しい領域であることを特徴とする請求項４又は請求項５記載の撮像装置。
【請求項７】
前記測距手段が、位相差検出方式を用いて前記被写体の距離に関する情報を測定し、前記被写体の距離に対応する情報が、被写体距離又は、焦点ずれ量及び焦点ずれ方向のいずれかであることを特徴とする請求項１乃至請求項６のいずれか１項に記載の撮像装置。
【請求項８】
フォーカスレンズを移動させて自動合焦制御を行う撮像装置であって、
被写体の距離に対応する情報を測定する測距手段と、
撮像された画像から、人物の顔の領域を顔領域として検出する検出手段と、
前記画像に対する焦点検出領域を設定する設定手段と、
前記画像の前記焦点検出領域に含まれる、予め定められた周波数帯域の成分に基づいてＡＦ評価値を生成する生成手段と、
前記生成手段が生成したＡＦ評価値に基づいて、前記フォーカスレンズを移動させて焦点検出を行う制御手段とを有し、
前記制御手段は、
前記顔領域が検出されている場合には、前記顔領域に対して設定された焦点検出領域におけるＡＦ評価値に基づいて前記フォーカスレンズを移動させ、
前記顔領域が検出されていた状態から前記顔領域が検出されない状態になった場合には、前記測距手段により検出された前記顔領域が検出されていた状態における前記被写体の距離と、前記顔領域が検出されない状態における前記被写体の距離との変化量が前記変化量が予め定めたしきい値以下であれば、前記フォーカスレンズを移動させないことを特徴とする撮像装置。
【請求項９】
フォーカスレンズを移動させて自動合焦制御を行う撮像装置の制御方法であって、
測距手段が、被写体の距離に対応する情報を測定する測距ステップと、
検出手段が、撮像された画像から、人物の顔の領域を顔領域として検出する検出ステップと、
設定手段が、前記画像に対する焦点検出領域を設定する設定ステップと、
生成手段が、前記画像の前記焦点検出領域に含まれる、予め定められた周波数帯域の成分に基づいてＡＦ評価値を生成する生成ステップと、
制御手段が、前記生成ステップで生成されたＡＦ評価値に基づいて、前記フォーカスレンズを移動させて焦点検出を行う制御ステップとを有し、
前記設定ステップでは、
前記顔領域が検出されている場合には、前記顔領域に対して焦点検出領域を設定し、
前記顔領域が検出されていた状態から前記顔領域が検出されない状態になった場合には、前記測距ステップにおいて検出された前記顔領域が検出されていた状態における前記被写体の距離と、前記顔領域が検出されない状態における前記被写体の距離との変化量が予め定めたしきい値以下であれば、前記顔領域が検出されていた状態において設定されていた焦点検出領域を変更せず、前記変化量が予め定められたしきい値より大きければ、前記画像内の予め定められた領域に焦点検出領域を変更することを特徴とする撮像装置の制御方法。
【請求項１０】
フォーカスレンズを移動させて自動合焦制御を行う撮像装置の制御方法であって、
測距手段が、被写体の距離に対応する情報を測定する測距ステップと、
検出手段が、撮像された画像から、人物の顔の領域を顔領域として検出する検出ステップと、
設定手段が、前記画像に対する焦点検出領域を設定する設定ステップと、
生成手段が、前記画像の前記焦点検出領域に含まれる、予め定められた周波数帯域の成分に基づいてＡＦ評価値を生成する生成ステップと、
制御手段が、前記生成ステップで生成されたＡＦ評価値に基づいて、前記フォーカスレンズを移動させて焦点検出を行う制御ステップとを有し、
前記制御ステップでは、
前記顔領域が検出されている場合には、前記顔領域に対して設定された焦点検出領域におけるＡＦ評価値に基づいて前記フォーカスレンズを移動させ、
前記顔領域が検出されていた状態から前記顔領域が検出されない状態になった場合には、前記測距ステップにより検出された前記顔領域が検出されていた状態における前記被写体の距離と、前記顔領域が検出されない状態における前記被写体の距離との変化量が予め定めたしきい値以下であれば、前記フォーカスレンズを移動させないことを特徴とする撮像装置の制御方法。
【手続補正２】
【補正対象書類名】明細書
【補正対象項目名】００１０
【補正方法】変更
【補正の内容】
【００１０】
上述の目的は、フォーカスレンズを移動させて自動合焦制御を行う撮像装置であって、被写体の距離に対応する情報を測定する測距手段と、撮像された画像から、人物の顔の領域を顔領域として検出する検出手段と、画像に対する焦点検出領域を設定する設定手段と、画像の焦点検出領域に含まれる、予め定められた周波数帯域の成分に基づいてＡＦ評価値を生成する生成手段と、生成手段が生成したＡＦ評価値に基づいて、フォーカスレンズを移動させて焦点検出を行う制御手段とを有し、設定手段は、顔領域が検出されている場合には、顔領域に対して焦点検出領域を設定し、顔領域が検出されていた状態から顔領域が検出されない状態になった場合には、測距手段により検出された顔領域が検出されていた状態における被写体の距離と、顔領域が検出されない状態における被写体の距離との変化量が予め定めたしきい値以下であれば、顔領域が検出されていた状態において設定されていた焦点検出領域を変更せず、変化量が予め定められたしきい値より大きければ、画像内の予め定められた領域に焦点検出領域を変更することを特徴とする撮像装置によって達成される。
また、上述の目的は、フォーカスレンズを移動させて自動合焦制御を行う撮像装置であって、被写体の距離に対応する情報を測定する測距手段と、撮像された画像から、人物の顔の領域を顔領域として検出する検出手段と、画像に対する焦点検出領域を設定する設定手段と、画像の焦点検出領域に含まれる、予め定められた周波数帯域の成分に基づいてＡＦ評価値を生成する生成手段と、生成手段が生成したＡＦ評価値に基づいて、フォーカスレンズを移動させて焦点検出を行う制御手段とを有し、制御手段は、顔領域が検出されている場合には、顔領域に対して設定された焦点検出領域におけるＡＦ評価値に基づいてフォーカスレンズを移動させ、顔領域が検出されていた状態から顔領域が検出されない状態になった場合には、測距手段により検出された顔領域が検出されていた状態における被写体の距離と、顔領域が検出されない状態における被写体の距離との変化量が変化量が予め定めたしきい値以下であれば、フォーカスレンズを移動させないことを特徴とする撮像装置によっても達成される。
【手続補正３】
【補正対象書類名】明細書
【補正対象項目名】００１１
【補正方法】変更
【補正の内容】
【００１１】
また、上述の目的は、フォーカスレンズを移動させて自動合焦制御を行う撮像装置の制御方法であって、測距手段が、被写体の距離に対応する情報を測定する測距ステップと、検出手段が、撮像された画像から、人物の顔の領域を顔領域として検出する検出ステップと、設定手段が、画像に対する焦点検出領域を設定する設定ステップと、生成手段が、画像の焦点検出領域に含まれる、予め定められた周波数帯域の成分に基づいてＡＦ評価値を生成する生成ステップと、制御手段が、生成ステップで生成されたＡＦ評価値に基づいて、フォーカスレンズを移動させて焦点検出を行う制御ステップとを有し、設定ステップでは、顔領域が検出されている場合には、顔領域に対して焦点検出領域を設定し、顔領域が検出されていた状態から顔領域が検出されない状態になった場合には、測距ステップにおいて検出された顔領域が検出されていた状態における被写体の距離と、顔領域が検出されない状態における被写体の距離との変化量が予め定めたしきい値以下であれば、顔領域が検出されていた状態において設定されていた焦点検出領域を変更せず、変化量が予め定められたしきい値より大きければ、画像内の予め定められた領域に焦点検出領域を変更することを特徴とする撮像装置の制御方法によっても達成される。
また、上述の目的は、フォーカスレンズを移動させて自動合焦制御を行う撮像装置の制御方法であって、測距手段が、被写体の距離に対応する情報を測定する測距ステップと、検出手段が、撮像された画像から、人物の顔の領域を顔領域として検出する検出ステップと、設定手段が、画像に対する焦点検出領域を設定する設定ステップと、生成手段が、画像の焦点検出領域に含まれる、予め定められた周波数帯域の成分に基づいてＡＦ評価値を生成する生成ステップと、制御手段が、生成ステップで生成されたＡＦ評価値に基づいて、フォーカスレンズを移動させて焦点検出を行う制御ステップとを有し、制御ステップでは、顔領域が検出されている場合には、顔領域に対して設定された焦点検出領域におけるＡＦ評価値に基づいてフォーカスレンズを移動させ、顔領域が検出されていた状態から顔領域が検出されない状態になった場合には、測距ステップにより検出された顔領域が検出されていた状態における被写体の距離と、顔領域が検出されない状態における被写体の距離との変化量が予め定めたしきい値以下であれば、フォーカスレンズを移動させないことを特徴とする撮像装置の制御方法に存する。